(57)【特許請求の範囲】
【請求項１】
洗浄槽の底部に連通路にて接続されて、その洗浄槽内の湯水が導入される水位検出用の湯水貯留槽と、前記湯水貯留槽の内部に装備されて、その湯水貯留槽に貯留される湯水の水位に応じて昇降する水位検出用のフロートと、前記フロートの本体部から上方に延びる軸部を昇降自在に案内する案内部と、前記湯水貯留槽の上端よりも上方側箇所に位置されて、洗浄用水位及び湯水排出水位に対応する前記フロートの上下複数の昇降位置を検出する複数の水位検出部とが設けられた食器洗浄機の水位検出装置であって、
前記フロートの前記軸部が、前記フロートが前記複数の昇降位置のうちの前記湯水排出水位に対応する低水位側の昇降位置に位置する状態において、その上端部を前記湯水貯留槽の上端よりも下方に位置させる長さで、かつ、前記フロートが前記複数の昇降位置のうちの前記洗浄用水位に対応する高水位側の昇降位置に位置する状態において、その上端部を前記湯水貯留槽の上端よりも上方に位置させる長さに形成され、
前記案内部が、前記湯水貯留槽の上端よりも下方に位置する前記フロートの前記軸部を案内すべく、前記湯水貯留槽の上端よりも下方に位置して案内するように構成され、
前記複数の水位検出部のうちの前記湯水排出水位に対応する低水位側の水位検出部にて検出される被検出部を備えた揺動レバーが、前記軸部の上端部に連係されて上下に揺動する状態で設けられ、
前記複数の水位検出部のうちの前記洗浄用水位に対応する高水位側の水位検出部にて検出される被検出部が、前記軸部の上端部に設けられている食器洗浄機の水位検出装置。
【請求項２】
前記複数の水位検出部が、フォトインタラプタ式の光センサである請求項１に記載の食器洗浄機の水位検出装置。
【請求項３】
前記案内部が、前記フロートの昇降全範囲に亘って、前記軸部の上端部に設けた被案内片を係合する案内溝である請求項１又は２に記載の食器洗浄機の水位検出装置。
【請求項４】
前記湯水貯留槽の上方開口を覆う蓋体が、前記フロートの前記軸部の挿通箇所ほど低位となる状態で前記湯水貯留槽の上端よりも下方に突出する下向き凹入部分、及び、案内溝形成用の上方突出部分を備える状態に形成され、
前記案内溝が、前記蓋体における前記凹入部分及び前記蓋体の上方突出部分に亘る状態で形成されている請求項３に記載の食器洗浄機の水位検出装置。
【請求項５】
前記複数の水位検出部及び前記揺動レバーが、前記蓋体に装備されている請求項４に記載の食器洗浄機の水位検出装置。
【請求項６】
前記湯水貯留槽に貯留される湯水にて導通される異常水位検出用の電極が、前記湯水貯留槽の水位が前記複数の水位検出部のうちの高水位側の水位検出部にて検出される水位よりも設定量高くなったときに導通される状態で、前記蓋体に装備されている請求項４又は５に記載の食器洗浄機の水位検出装置。
【請求項７】
請求項６に記載の食器洗浄機の水位検出装置を備えた食器洗浄機の運転制御装置であって、
前記洗浄槽への給水を断続する給水弁、及び、その給水弁を通して供給される単位時間当たりの湯水供給量よりも単位時間当たりの排水量を多くする状態で前記洗浄槽に貯留された湯水を排水する排水ポンプを制御する運転制御手段が、前記給水弁の開き状態において、前記異常水位検出用の電極にて異常水位が検出されたときに、前記給水弁を閉じ状態にし、且つ、前記排水ポンプを作動させる漏水防止運転処理を実行するように構成されている食器洗浄機の運転制御装置。
【請求項８】
前記運転制御手段が、前記漏水防止運転処理を実行しているときに、前記複数の水位検出部のうちの高水位側の水位検出部にて高水側の水位よりも低い水位であることが検出されると、前記排水ポンプを停止させて前記漏水防止運転処理を停止するように構成されている請求項７に記載の食器洗浄機の運転制御装置。
【発明の詳細な説明】
【技術分野】
【０００１】
本発明は、洗浄槽の底部に連通路にて接続されて、その洗浄槽内の湯水が導入される水位検出用の湯水貯留槽と、前記湯水貯留槽の内部に装備されて、その湯水貯留槽に貯留される湯水の水位に応じて昇降する水位検出用のフロートと、前記フロートの本体部から上方に延びる軸部を昇降自在に案内する案内部と、前記湯水貯留槽の上端よりも上方側箇所に位置されて、前記フロートの上下複数の昇降位置を検出する複数の水位検出部とが設けられた食器洗浄機の水位検出装置及びそれを備えた食器洗浄機の運転制御装置に関する。
【背景技術】
【０００２】
かかる食器洗浄機の水位検出装置は、洗浄槽に供給される湯水の水位が、例えば洗浄用の水位であることを検出する等、洗浄槽の水位を検出するために用いられるものであり、そして、複数の水位検出部が湯水貯留槽の上端よりも上方側箇所に位置されて、複数の水位検出部が湯水の接触により故障する等のトラブルを発生することが回避されている。
【０００３】
かかる食器洗浄機の第１の従来例として、フロートの軸部が、フロートが複数の昇降位置のうちの低水位側の昇降位置に位置する状態において、その上端部を湯水貯留槽の上端よりも上方に位置させる長さに形成され、湯水貯留槽の上端よりも上方側箇所に備える２つの水位検出部にて前記軸部の上端部の位置を検出することによって、フロートの複数の昇降位置のうちの低水位側の昇降位置と高水位側の昇降位置とを検出するように構成されたものがある（例えば、特許文献１参照）。
つまり、この特許文献１においては、洗浄槽の洗浄用水位として、高低の２つの水位を検出するように構成されている。
【０００４】
この特許文献１においては、フロートの本体部から上方に延びる軸部の上端部に磁石が取付けられ、且つ、複数の水位検出部が、フロートの複数の昇降位置のうちの低水位側の昇降位置と高水位側の昇降位置とに対応する位置に設けられかつ前記磁石によってオン・オフされるリードスイッチにて構成されている。
【０００５】
また、この特許文献１においては、湯水貯留槽の水位がフロートの高水位側の昇降位置に対応する水位よりもさらに高水位の異常水位となると、湯水貯留槽に貯留される湯水にて導通される異常水位検出用の一対の電極が備えられている。
ちなみに、この異常水位検出用の一対の電極は、洗浄槽への湯水の供給を断続する給水弁を開いて、湯水貯留槽に湯水を供給しているときに、異常水位となることを検出するために設けられるものであって、特許文献１には記載されていないが、一般的には、異常水位が検出されたときには、給水弁が閉じ操作されることになる。
【０００６】
また、かかる食器洗浄機の水位検出装置の第２の従来例として、フロートの軸部が、フロートが複数の昇降位置のうちの低水位側の昇降位置に位置する状態において、その上端部を湯水貯留槽の上端よりも上方に位置させる長さに形成され、湯水貯留槽の上端よりも上方側箇所に、フロートの軸部の上端部に連係されて揺動する揺動レバーが設けられて、湯水貯留槽の上端よりも上方側箇所に備える２つの水位検出部にて揺動レバーの揺動位置を検出することによって、フロートの複数の昇降位置うちの低水位側の昇降位置と高水位側の昇降位置とを検出するように構成されたものがある（例えば、特許文献２参照）。
つまり、この特許文献２においては、洗浄槽の洗浄用水位として、高低の２つの水位を検出するように構成されている。
【０００７】
この特許文献２においては、複数の水位検出部として、２つのマイクロスイッチが設けられて、それらマイクロスイッチが、揺動レバーにて押圧操作されるように構成されている。
【先行技術文献】
【特許文献】
【０００８】
【特許文献１】特開２００２−５３６号公報
【特許文献２】特許第４１５４３２４号公報
【発明の概要】
【発明が解決しようとする課題】
【０００９】
上記の第１及び第２の従来例の食器洗浄機の水位検出装置は、フロートの軸部が、フロートが複数の昇降位置のうちの低水位側の昇降位置に位置する状態において、その上端部を湯水貯留槽よりも上方に位置させる長さに形成されているため、フロートが高水位側の昇降位置に位置するときに、フロートの軸部が湯水貯留槽の上端部よりも上方に大きく突出する状態となるため、水位検出装置の上下方向のコンパクト化を図り難いものとなっていた。
つまり、フロートが複数の昇降位置のうちの低水位側の昇降位置に位置する状態において、フロートの軸部が、その上端部を湯水貯留槽よりも上方に位置させる長さに形成されていると、軸部の長さが長いことに起因して、低水位側の昇降位置と高水位側の昇降位置とに亘って昇降するフロートが昇降に伴って存在する上下方向の存在範囲、換言すれば、フロートの全長とフロートの昇降範囲とを加えたフロートの上下方向の存在範囲が大きな範囲となり、水位検出装置の上下方向のコンパクト化を図り難いものとなる。
【００１０】
特に、フロートの複数の昇降位置のうちの低水位側の昇降位置として、湯水貯留槽内に貯留される湯水が十分に低い水位である状態に対応する昇降位置、例えば、洗浄槽内に湯水が殆ど貯留されていない排水状態に対応する昇降位置を検出するように要求される場合があるが、このような場合には、フロートの本体部から上方に延びる軸部の長さをかなり長く形成する必要があり、水位検出装置の上下方向のコンパクト化を図り難いという問題が顕著となる。
【００１１】
本発明は、上記実情に鑑みてなされたものであり、その目的は、上下方向のコンパクト化を図ることが可能な食器洗浄機の水位検出装置を提供する点にあり、そして、別の目的は、それを備えた食器洗浄機の運転制御装置を提供する点にある。
【課題を解決するための手段】
【００１２】
本発明の食器洗浄機の水位検出装置は、洗浄槽の底部に連通路にて接続されて、その洗浄槽内の湯水が導入される水位検出用の湯水貯留槽と、前記湯水貯留槽の内部に装備されて、その湯水貯留槽に貯留される湯水の水位に応じて昇降する水位検出用のフロートと、前記フロートの本体部から上方に延びる軸部を昇降自在に案内する案内部と、前記湯水貯留槽の上端よりも上方側箇所に位置されて、洗浄用水位及び湯水排出水位に対応する前記フロートの上下複数の昇降位置を検出する複数の水位検出部とが設けられたものであって、その第１特徴構成は、
前記フロートの前記軸部が、前記フロートが前記複数の昇降位置のうちの前記湯水排出水位に対応する低水位側の昇降位置に位置する状態において、その上端部を前記湯水貯留槽の上端よりも下方に位置させる長さで、かつ、前記フロートが前記複数の昇降位置のうちの前記洗浄用水位に対応する高水位側の昇降位置に位置する状態において、その上端部を前記湯水貯留槽の上端よりも上方に位置させる長さに形成され、
前記案内部が、前記湯水貯留槽の上端よりも下方に位置する前記フロートの前記軸部を案内すべく、前記湯水貯留槽の上端よりも下方に位置して案内するように構成され、
前記複数の水位検出部のうちの前記湯水排出水位に対応する低水位側の水位検出部にて検出される被検出部を備えた揺動レバーが、前記軸部の上端部に連係されて上下に揺動する状態で設けられ、
前記複数の水位検出部のうちの前記洗浄用水位に対応する高水位側の水位検出部にて検出される被検出部が、前記軸部の上端部に設けられている点にある。
【００１３】
すなわち、フロートの軸部が、フロートが複数の昇降位置のうちの低水位側の昇降位置に位置する状態においては、その上端部を湯水貯留槽の上端よりも下方に位置する長さに形成されて、湯水貯留槽の上端よりも下方に位置して案内することになる案内部に案内されて昇降されることになる。
そして、その軸部の上端部に連係されて上下に揺動する状態で設けられる揺動レバーによって、フロートの複数の昇降位置のうちの低水位側の昇降位置が、湯水貯留槽の上端よりも上方に位置する水位検出部にて検出されることになる。
【００１４】
このように、フロートの軸部が、フロートが複数の昇降位置のうちの低水位側の昇降位置に位置する状態において、その上端部を湯水貯留槽の上端よりも下方に位置する長さとなる短い長さに形成されるものであるから、低水位側の昇降位置と高水位側の昇降位置とに亘って昇降するフロートが昇降に伴って存在する上下方向の存在範囲が小さな範囲となり、上下方向のコンパクト化を図ることができるものとなる。
【００１５】
要するに、本発明の食器洗浄機の水位検出装置の第１特徴構成によれば、フロートが、複数の昇降位置のうちの低水位側の昇降位置と高水位側の昇降位置とに亘って昇降する上下方向の存在範囲が小さいものとなって、上下方向のコンパクト化を図ることができる。
【００１７】
また、第１特徴構成によれば、フロートの軸部が、フロートが複数の昇降位置のうちの高水位側の昇降位置に位置する状態において、その上端部を湯水貯留槽の上端よりも上方に位置させる長さに形成されて、その軸部の上端部に設けられている被検出部が、複数の水位検出部のうちの高水位側の水位検出部にて検出されることになる。
【００１８】
このように、フロートが複数の昇降位置のうちの高水位側の昇降位置に位置することを、複数の水位検出部のうちの高水位側の水位検出部にて検出するにあたり、上記の揺動レバーのような揺動レバーを備えさせずに、軸部の上端部に設けられている被検出部を、複数の水位検出部のうちの高水位側の水位検出部にて検出するものであるから、構成の簡素化を図ることができるものとなる。
【００１９】
要するに、本発明の食器洗浄機の水位検出装置の第１特徴構成によれば、上記作用効果に加えて、構成の簡素化を図ることができる。
【００２０】
本発明の食器洗浄機の水位検出装置の第２特徴構成は、上記第１特徴構成に加えて、前記複数の水位検出部が、フォトインタラプタ式の光センサである点にある。
【００２１】
すなわち、複数の水位検出部を構成するフォトインタラプタ式の光センサが、被検出部によって遮光状態と遮光されない状態とに切り換えられることにより、フロートの上下複数の昇降位置が検出されることになる。
そして、フォトインタラプタ式の光センサは、遮光状態と遮光されない状態とに切り換えるための操作力を必要としないものであり、また、磁力を受けても誤動作しないものであるから、フロートの上下複数の昇降位置を適切に検出することができる。
【００２２】
つまり、例えば、複数の水位検出部をマイクロスイッチにて構成すると、そのマイクロスイッチを構成する可動部材の可動に伴う抵抗力の変化等に起因して、そのマイクロスイッチを操作する操作力が変化して、そのマイクロスイッチを操作するフロートの水位が変動することにより、水位検出を適切に行い難いものとなるが、フォトインタラプタ式の光センサは、遮光状態と遮光されない状態とに切り換えるための操作力を必要としないものであるため、水位検出を適切に行えるものとなる。
【００２３】
また、例えば、複数の水位検出部をリードスイッチにて構成すると、洗浄槽の湯水の排水用のポンプ等を駆動する電動モータにより発生する磁力によって、リードスイッチが誤動作する虞があり、その誤動作により、水位検出を適切に行い難いものとなるが、フォトインタラプタ式の光センサは、磁力により誤動作しないため、水位検出を適切に行えるものとなる。
【００２４】
要するに、本発明の食器洗浄機の水位検出装置の第２特徴構成によれば、上記第１特徴構成による作用効果に加えて、水位の検出を適切に行うことができる。
【００２５】
本発明の食器洗浄機の水位検出装置の第３特徴構成は、上記第１又は第２特徴構成に加えて、前記案内部が、前記フロートの昇降全範囲に亘って、前記軸部の上端部に設けた被案内片を係合する案内溝である点にある。
【００２６】
すなわち、フロートの昇降全範囲に亘って係合する案内溝にて、軸部の上端部に設けた被案内片が、フロートの昇降全範囲に亘って案内されることになる。
したがって、案内溝にて案内されることにより、軸部の上端部が適切に位置決めされるため、その上端部に連係される揺動レバーを適切に揺動操作することができるものとなり、複数の水位検出部のうちの低水位側の水位検出部にて、揺動レバーに備えさせた被検出部を適切に検出することができる。
【００２７】
要するに、本発明の食器洗浄機の水位検出装置の第３特徴構成によれば、上記第１又は第２特徴構成による作用効果に加えて、複数の水位検出部のうちの低水位側の水位検出部にて、揺動レバーに備えさせた被検出部を適切に検出することができる。
【００２８】
本発明の食器洗浄機の水位検出装置の第４特徴構成は、上記第３特徴構成に加えて、前記湯水貯留槽の上方開口を覆う蓋体が、前記フロートの前記軸部の挿通箇所ほど低位となる状態で前記湯水貯留槽の上端よりも下方に突出する下向き凹入部分、及び、案内溝形成用の上方突出部分を備える状態に形成され、
前記案内溝が、前記蓋体における前記凹入部分及び前記蓋体の上方突出部分に亘る状態で形成されている点にある。
【００２９】
すなわち、湯水貯留槽の上方開口を覆う蓋体が、フロートの軸部の挿通箇所ほど低位となる状態で湯水貯留槽の上端よりも下方に突出する下向き凹入部分、及び、案内溝形成用の上方突出部分を備える状態に形成された案内溝を備える状態に形成され、案内溝が、蓋体における凹入部分及び蓋体の上方突出部分に亘る状態で形成されるものであるから、湯水貯留槽の上方開口を、蓋体にて覆うようにしながら、蓋体における凹入部分及び蓋体の上方突出部分に亘る状態で形成される案内溝によって、軸部の上端部に設けられた被案内片を適切に案内することができるものとなる。
【００３０】
そして、湯水貯留槽の上方開口を蓋体にて覆うことにより、震動等によって湯水貯留槽内に貯留された湯水が湯水貯留槽外に零れることや、湯水貯留槽内の湯水が蒸発することを抑制できる。
ちなみに、湯水貯留槽に震動が与えられる原因としては、例えば洗浄槽が引出式に構成されている場合において、その洗浄槽が引出し又は挿入される場合等が考えられる。
【００３１】
要するに、本発明の食器洗浄機の水位検出装置の第４特徴構成によれば、上記第３特徴構成による作用効果に加えて、軸部の上端部に設けられた被案内片を案内溝にて適切に案内しながら、震動等によって湯水貯留槽内に貯留された湯水が湯水貯留槽外に零れることや、湯水貯留槽内の湯水が蒸発することを抑制できる。
【００３２】
本発明の食器洗浄機の水位検出装置の第５特徴構成は、上記第４特徴構成に加えて、前記複数の水位検出部及び前記揺動レバーが、前記蓋体に装備されている点にある。
【００３３】
すなわち、複数の水位検出部及び揺動レバーが蓋体に装備されるものであるから、その蓋体を湯水貯留槽に組み付けることによって、複数の水位検出部及び揺動レバーを湯水貯留槽に組み付けることができるものとなる。
このように、蓋体を湯水貯留槽に組み付けることによって、複数の水位検出部及び揺動レバーを湯水貯留槽に組み付けることができるものとなるから、複数の水位検出部及び揺動レバーの湯水貯留槽への組付けの容易化を図ることができるものとなる。
【００３４】
要するに、本発明の食器洗浄機の水位検出装置の第５特徴構成によれば、上記第４特徴構成による作用効果に加えて、複数の水位検出部及び揺動レバーの湯水貯留槽への組付けの容易化を図ることができる。
【００３５】
本発明の食器洗浄機の水位検出装置の第６特徴構成は、上記第４又は第５特徴構成に加えて、前記湯水貯留槽に貯留される湯水にて導通される異常水位検出用の電極が、前記湯水貯留槽の水位が前記複数の水位検出部のうちの高水位側の水位検出部にて検出される水位よりも設定量高くなったときに導通される状態で、前記蓋体に装備されている点にある。
【００３６】
すなわち、湯水貯留槽の水位が、複数の水位検出部のうちの高水位側の水位検出部にて検出される水位よりも設定量高くなったときに導通される異常水位検出用の電極により、異常水位が検出されるものとなるから、湯水貯留槽の水位が、複数の水位検出部のうちの高水位側の水位検出部にて検出される水位よりも設定量高い異常水位となったことを適切に検知することができる。
【００３７】
つまり、湯水貯留槽の壁面に引っ掛かる等のためにフロートが上昇移動しなくなる等の原因により、湯水貯留槽の水位が前記複数の水位検出部のうちの高水位側の水位検出部にて検出される水位よりも設定量高い異常水位になると、その異常水位が異常水位検出用の電極にて検出されることになる。
ちなみに、異常水位検出用の電極によって異常水位が検出された場合には、洗浄槽への給水を断続する給水弁を閉止して、洗浄槽内への湯水の供給を停止する等、それに対応する処理が行われることになる。
【００３８】
しかも、そのような異常水位検出用の電極が、蓋体に装備されているものであるから、蓋体を湯水貯留槽に組み付けることによって、異常水位検出用の電極を湯水貯留槽に組み付けることができるものとなり、異常水位検出用の電極の湯水貯留槽への組付けの容易化を図ることができる。
【００３９】
要するに、本発明の食器洗浄機の水位検出装置の第６特徴構成によれば、上記第４又は第５特徴構成による作用効果に加えて、異常水位を検出するために設ける異常水位検出用の電極の湯水貯留槽への組付けの容易化を図ることができる。
【００４０】
本発明の食器洗浄機の運転制御装置の第１特徴構成は、上記第６特徴構成を有する食器洗浄機の水位検出装置を備えた食器洗浄機の運転制御装置であって、前記洗浄槽への給水を断続する給水弁、及び、その給水弁を通して供給される単位時間当たりの湯水供給量よりも単位時間当たりの排水量を多くする状態で前記洗浄槽に貯留された湯水を排水する排水ポンプを制御する運転制御手段が、前記給水弁の開き状態において、前記異常水位検出用の電極にて異常水位が検出されたときに、前記給水弁を閉じ状態にし、且つ、前記排水ポンプを作動させる漏水防止運転処理を実行するように構成されている点にある。
【００４１】
すなわち、洗浄槽への給水を断続する給水弁の開き状態において、異常水位検出用の電極にて異常水位が検出されると、運転制御手段が、給水弁を閉じ状態にし、且つ、その給水弁を通して供給される単位時間当たりの湯水供給量よりも単位時間当たりの排水量を多くする状態で洗浄槽に貯留された湯水を排水する排水ポンプを作動させる漏水防止運転処理を実行することになる。
【００４２】
つまり、異常水位検出用の電極にて異常水位が検出されたときには、給水弁を閉じ状態にすることに加えて、排水ポンプを作動させる漏水防止運転処理が実行されるものであるから、例えば給水弁の弁部に異物を噛み込む等により、給水弁が正常に閉じられなくなったような場合においても、その給水弁を通して供給される単位時間当たりの湯水供給量よりも単位時間当たりの排水量を多くする状態で、洗浄槽に貯留された湯水を排水ポンプにより排水することによって、湯水貯留槽内の湯水が異常水位を越えて漏水する状態になることを適切に抑制することができるものとなる。
【００４３】
要するに、本発明の食器洗浄機の運転制御装置の第１特徴構成によれば、湯水貯留槽内の湯水が異常水位を越えて漏水する状態になることを適切に抑制することができる。
【００４４】
本発明の食器洗浄機の運転制御装置の第２特徴構成は、上記第１特徴構成に加えて、前記運転制御手段が、前記漏水防止運転処理を実行しているときに、前記複数の水位検出部のうちの高水位側の水位検出部にて高水側の水位よりも低い水位であることが検出されると、前記排水ポンプを停止させて前記漏水防止運転処理を停止するように構成されている点にある。
【００４５】
すなわち、運転制御手段は、漏水防止運転処理を実行しているときに、複数の水位検出部のうちの高水位側の水位検出部にて高水側の水位よりも低い水位であることが検出されたときには、排水ポンプを停止させて漏水防止運転処理を停止することとなる。
つまり、運転制御手段が漏水防止運転処理を実行しているときに、複数の水位検出部のうちの高水位側の水位検出部にて高水側の水位よりも低い水位であることが検出された場合には、湯水貯留槽内の湯水が異常水位を越えて漏水する状態となることが直ちに起こらないとみなすことができるので、排水ポンプを停止させて漏水防止運転処理を停止することにより、不必要に排水ポンプの運転を実行することを抑制できる。
ちなみに、給水弁が正常に閉じられなくなった場合において、再び異常水位検出用の電極にて異常水位が検出されたときには、上述の如く再び漏水防止運転処理を実行することによって、湯水貯留槽内の湯水が異常水位を越えて漏水する状態になることを適切に抑制することができる。
【００４６】
要するに、本発明の食器洗浄機の運転制御装置の第２特徴構成によれば、上記第１特徴構成による作用効果に加えて、不必要に排水ポンプの運転を実行することを抑制でき、省エネが実現できる。
【図面の簡単な説明】
【００４７】
【図１】食器洗浄機の斜視図
【図２】洗浄槽を収納した状態の切欠側面図
【図３】前面の扉体を取り外した洗浄槽を前方側から見た斜視図
【図４】洗浄槽を背面側から見た斜視図
【図５】食器洗浄機の概略構成図
【図６】乾燥用空気の流動状態を示す概略斜視図
【図７】制御作動を示すフローチャート
【図８】水位検出装置の切欠斜視図
【図９】同装置の斜視図
【図１０】同装置の斜視図
【図１１】蓋体の平面図
【図１２】蓋体の案内溝形成部分の断面図
【図１３】湯水排出水位の検出状態の縦断側面図
【図１４】洗浄水位の検出状態の縦断側面図
【図１５】異常水位の検出状態の縦断側面図
【図１６】フロートの斜視図
【発明を実施するための形態】
【００４８】
〔実施形態〕
次に、本発明の実施形態を図面に基づいて説明する。
図１〜図４に示すように、前面部が開口された本体部１が設けられ、平面視形状が四角状の洗浄槽Ｄを備えた引出し部２が、本体部１に対して、引出し移動及び収納移動自在に設けられて、食器洗浄機の一例としての引出し式の食器洗浄機が構成されている。
尚、例示はしないが、引出し部２を本体部１に対して移動自在に支持するスライド式レール機構が設けられており、引出し部２が、その大部分を本体部１の外方に露出させる状態に引き出すことができるように構成されている。
【００４９】
そして、引出し部２を本体部１に収納した状態で洗浄槽Ｄの上面部を閉塞し、かつ、引出し部２を本体部１から引き出した状態で洗浄槽Ｄの上面部を開口させる内蓋部３が設けられており、洗浄槽Ｄの内部空間にて、開閉自在な洗浄空間Ｑが構成されている。
【００５０】
引出し部２の前面部には、本体部１の前面部の開口を開閉する扉体Ａが設けられ、その扉体Ａには、引出し部２を本体部１から引き出すときや収納するときに把持するための把持部Ｂが設けられている。尚、詳述はしないが、把持部Ｂの内方側箇所には、引出し部２を本体部１に収納するに伴って本体部１の係止部Ｐａに係合する係合手段Ｐが設けられており、この係合手段Ｐが係止部Ｐａに係合することにより、引出し部２を本体部１に収納した状態に保持するようになっている。そして、係合手段Ｐは、引出し部２を本体部１から引き出すときに把持部Ｂを支持する手指にて、係合を解除する解除状態に操作できるようになっている。
また、扉体Ａには、運転のための各種操作を行う操作部ＳＳが設けられている。
【００５１】
図２及び図５に示すように、洗浄槽Ｄに水を供給する給水路４および給水路４を開閉する給水弁４ａが設けられている。
引出し部２における洗浄槽Ｄの底部下方には、正転で洗浄ポンプとして機能し、且つ、逆転で排水ポンプとして機能する兼用ポンプ６が設けられ、洗浄槽Ｄの内部には、洗浄ノズル８や加熱手段としての電気式の加熱ヒータ９などが配置され、さらに、食器などの洗浄対象物を収納載置する洗浄かご１０が、洗浄槽Ｄの内部に着脱自在に装着されている。
【００５２】
兼用ポンプ６は、洗浄槽Ｄの底部に形成した水貯留用凹部Ｓに、吸引管１１にて接続され、かつ、排水管１２が接続されている。
尚、図２に示すように、本体部１の底部には、漏水受止め用のドレンパン１４が配備されており、例示はしないが、このドレンパン１４にて受止め回収された水の存否を検出する漏水センサが装備されることになる。
【００５３】
また、図５に示すように、水貯留用凹部Ｓには、連通路としての案内管１３を介して水位検出装置としての水位センサＪが接続されている。
この水位センサＪは、後述の如く、洗浄槽Ｄ内に貯留される湯水の水位が洗浄用水位（高水位）であること、洗浄槽Ｄ内に貯留される湯水の水位が、加熱ヒータ９が露出する程度に十分に低い湯水排出水位（低水位）であること、及び、洗浄槽Ｄ内に貯留される湯水が洗浄用水位より設定量高い異常水位であることを検出するように構成されている。
【００５４】
図２、図３及び図５に示すように、洗浄槽Ｄにおける４つの側壁部のうちの、機体前面側、つまり引出し部前面側に相当する前側壁部Ｄｆには、乾燥ユニットＫが取り付けられている。
つまり、前側壁部Ｄｆには、図６にも示すように、乾燥ユニットＫからの空気を洗浄空間Ｑに供給する空気供給口２１、及び、乾燥ユニットＫが洗浄空間Ｑ内の空気を吸引する空気吸引口２２が、下方側で左右両側に離れた位置に形成されている。具体的には、空気供給口２１及び空気吸引口２２は、洗浄かご１０よりも下方側に位置するように形成されるものであり、そして、本実施形態では、空気供給口２１を右側に、且つ、空気吸引口２２を左側に位置させている。
【００５５】
乾燥ユニットＫは、洗浄槽Ｄの前側壁部Ｄｆに止着されるケーシング２０の内部に、空気吸引口２２と空気供給口２１とに亘る通風経路Ｆを通して洗浄空間Ｑの空気を循環させる通風手段としての循環ファン２３、及び、通風経路Ｆを通して循環される空気を除湿する除湿部Ｇを備えて構成されている。
通風経路Ｆは、空気吸引口２２から上方側に伸びる上昇経路部分ｆ１とその上昇経路部分ｆ１の上端部から空気供給口２１に向けて下方側に伸びる下降経路部分ｆ２とからなる逆Ｕ字状に形成されており、上昇経路部分ｆ１に、除湿部Ｇが配設され、下降経路部分ｆ２に、循環ファン２３が配設されている。
【００５６】
除湿部Ｇは、複数枚の伝熱板２４を板厚方向に沿って間隔を隔てて並置して、それら伝熱板２４に向けて除湿用水を噴出ノズル２５から噴出することによって、複数枚の伝熱板２４の間を通して上方に向けて流動する空気を、伝熱板２４の表面を流下する除湿用水との接触及び伝熱板２４の間を流下する除湿用水との接触により冷却することにより、空気中の水分を凝縮させて除湿するように構成されている。
尚、噴出ノズル２５から噴出された除湿用水は、空気吸引口２２を通して洗浄槽Ｄの内部に流動して水貯留用凹部Ｓに貯留されることになる。
【００５７】
図５に示すように、噴出ノズル２５に水を供給する除湿用給水路２６が設けられ、その除湿用給水路２６を開閉する除湿用水断続弁２７、及び、給水圧安定用のガバナ２８が設けられている。
【００５８】
そして、電気式の加熱ヒータ９を加熱作用させた状態で、循環ファン２３の通風作動及び噴出ノズル２５の除湿用水の噴出作動を行わせることにより、洗浄空間Ｑから吸引した空気を除湿部Ｇにて除湿したのち、乾燥用の空気として洗浄空間Ｑに供給し、その供給された空気を電気式の加熱ヒータ９にて加熱することにより、洗浄空間Ｑ内の洗浄対象物を乾燥する乾燥運転を行えるように構成されている。
【００５９】
また、電気式の加熱ヒータ９を停止させた状態で、循環ファン２３の通風作動及び噴出ノズル２５の除湿用水の噴出作動を行わせることにより、洗浄空間Ｑから吸引した空気中の臭気成分を除湿部Ｇにて除湿用水に吸収させたのち、洗浄空間Ｑに供給することにより、洗浄空間Ｑを消臭する消臭運転を行えるように構成されている。
【００６０】
乾燥運転における空気の流れについて説明を加えると、図６に示すように、洗浄槽Ｄの前側壁部Ｄｆに形成した空気供給口２１から洗浄空間Ｑに供給される空気は、主たる流れとして、上昇しながら後側壁部に向けて流動し、その後、前側壁部Ｄｆにおける下方側で且つ空気供給口２１とは左右方向で離れた位置に形成した空気吸引口２２に向けて下方側に移動しながら流動して、空気吸引口２２から排出される形態で流れることになり、洗浄槽内における空気吸引口２２が位置する側の下方側の部分にも、空気が流動し易いものとなるのである。
したがって、洗浄槽内の洗浄対象物の全体に空気を通流させて、洗浄対象物を効率良く乾燥することにより、乾燥時間の短縮化を図ることができるものとなる。
【００６１】
図５に示すように、引出し部２には、運転を制御する制御手段としての制御部Ｈが装備され、この制御部Ｈが、操作部ＳＳにて入力される指令に基づいて、給水弁４ａ、兼用ポンプ６、電気式の加熱ヒータ９、循環ファン２３、及び、除湿用水断続弁２７の作動を制御して、洗浄槽Ｄの内部にて形成される洗浄空間Ｑの洗浄対象物を洗浄液としての湯水にて洗浄する洗浄運転、洗浄槽Ｄの水貯留用凹部Ｓに貯留されかつ電気式の加熱ヒータ９にて加熱されるすすぎ水により洗浄対象物のすすぎを行うすすぎ運転、洗浄槽Ｄの水貯留用凹部Ｓに貯留されたすすぎ水を排水する排水運転、電気式の加熱ヒータ９を加熱作用させた状態で、循環ファン２３の通風作動及び噴出ノズル２５の除湿用水の噴出作動を行わせる乾燥運転、及び、電気式の加熱ヒータ９を停止させた状態で、循環ファン２３の通風作動及び噴出ノズル２５の除湿用水の噴出作動を行わせる消臭運転等の運転を行うものであり、次に、制御部Ｈが実行する運転について説明を加える。
【００６２】
つまり、使用者は、操作部ＳＳにより、洗浄運転、すすぎ運転、排水運転、乾燥運転、消臭運転の順に運転させる連続運転コースや、乾燥運転のみ運転させる乾燥のみコースなど各種の運転コースを選択できるように構成され、さらに、連続運転コースとして、標準運転コース、念入り運転コース、スピーディ運転コース、快速運転コースが備えられているが、本実施形態においては、標準運転コースについてのみ説明する。
【００６３】
図７のフローチャートに基づいて、制御部Ｈの制御作動について説明する。
まず、図外の収納スイッチにより、引出し部２が本体部１の収納位置に収納されることが検出され（＃１）、操作部ＳＳの電源スイッチがＯＮ操作されると（＃２）、運転コースの選択が行われることになる（＃３）。本実施形態では、標準運転コースが選択されたとして説明を続ける。
操作部ＳＳのスタートスイッチがＯＮ操作されると（＃４）、標準運転コースが開始されて、洗浄運転（＃５）、すすぎ運転（＃１０）、排水運転（＃１５）、乾燥運転（＃１６）、消臭運転（＃２１）が順次実行される。
【００６４】
洗浄運転は、先ず、給水弁４ａを開弁して給水路４を通して洗浄槽Ｄ内に洗浄水を給水し、その水位が水位センサＪにて上述した洗浄水位に達したことが検出されると、給水弁４ａを閉じる給水動作を行い、その後、兼用ポンプ６を正転作動させ且つ加熱ヒータ９を作動させて、洗浄水を洗浄ノズル８から洗浄対象物に向けて噴出する洗浄動作を、洗浄運転用設定時間が経過するまで行い、次に、兼用排水ポンプ６を逆転作動させ、洗浄槽Ｄ内の洗浄水を排水する排水動作を、水位センサＪにて上述した湯水排出水位に達したことが検出されるまで行うことになる。
尚、使用者が操作部ＳＳのスタートスイッチをＯＮ操作する前に洗浄用洗剤を洗浄槽Ｄ内に投入しておくことにより、洗剤を用いた洗浄を行うことができる。
【００６５】
そして、洗浄運転（＃５）が開始されたのちは、洗浄運転用設定時間が経過した洗浄終了であるか否かが判断され（＃６）、洗浄終了である場合には、すすぎ運転（＃９）に移行することになる。
＃６にて、洗浄終了でないと判断したときには、操作部ＳＳにて中断指令が指令されたか否かを判断し（＃７）、中断指令が指令された場合には、兼用ポンプ６を停止させる等の洗浄運転を中断させるための中断処理を行う（＃８）。
その後、操作部ＳＳにて再開指令が指令されるまで（＃９）、洗浄運転を中断することになり、洗浄運転を中断しているときに、再開指令が指令されると（＃９）、洗浄運転を再開することになる。
このように洗浄運転を中断できるので、洗浄対象物を追加したい場合に、その洗浄対象物を洗浄空間Ｑに収納させることができる。
【００６６】
すすぎ運転は、上述の洗浄運転における給水動作と同様の給水動作を行って、洗浄槽Ｄの底部にすすぎ水を上述した洗浄水位が検出されるまで貯留させ、その後、兼用ポンプ６および加熱ヒータ９を作動させて、加熱ヒータ９にて加熱されたすすぎ水により洗浄対象物のすすぎを設定時間が経過するまで行うすすぎ動作、及び、兼用ポンプ６を逆転作動させて、洗浄槽Ｄの底部に貯留されたすすぎ水を上述した湯水排出水位となるまで排水する排水動作を順次行うすすぎ動作を、２回行い、最後に加熱すすぎ動作を行うことになる。
加熱すすぎ動作は、上述の給水作動により、洗浄槽Ｄの底部にすすぎ水を上述した洗浄水位分貯留させたのち、兼用ポンプ６および加熱ヒータ９を作動させて、加熱ヒータ９にて加熱されたすすぎ水により洗浄対象物のすすぎを行うことになり、そして、図外の温度センサにより、すすぎ水の温度が仕上げ用設定温度（例えば、６７℃）になると、加熱すすぎ動作を終了することになる。
【００６７】
そして、すすぎ運転（＃１０）が開始されたのちは、すすぎ運転の全工程が終了したすすぎ終了であるか否かが判断され（＃１１）、すすぎ終了である場合には、排水運転（＃１５）に移行することになる。
＃１１にて、すすぎ終了でないと判断したときには、操作部ＳＳにて中断指令が指令されたか否かを判断し（＃１２）、中断指令が指令された場合には、兼用ポンプ６および加熱ヒータ９を停止する等のすすぎ運転を中断するための中断処理を行う（＃１３）。
その後、操作部ＳＳにて再開指令が指令されるまで（＃１４）、すすぎ運転を中断し、すすぎ運転を中断しているときに、再開指令が指令されると（＃１４）、すすぎ運転を再開することになる。
このようにすすぎ運転を中断できるので、すすぎを行いたい洗浄対象物を追加したい場合に、その洗浄対象物を洗浄空間Ｑに収納させることができる。
【００６８】
排水運転は、兼用ポンプ６を逆転作動させて、洗浄槽Ｄの底部に貯留されたすすぎ水を排水する排水動作を、上述した湯水排出水位となるまで行うことになる。
また、制御部Ｈは、この排水運転において兼用ポンプ６の逆転作動を開始してから設定時間が経過するまでに、上述した湯水排出水位が検出されなかった場合には、排水動作が適切に行われなかったとして、エラーを報知するように構成されている。
【００６９】
乾燥運転は、電気式の加熱ヒータ９を加熱作用させた状態で、循環ファン２３の通風作動及び噴出ノズル２５の除湿用水の噴出作動を行わせることになり、その状態を乾燥用設定時間（例えば、２５分）が経過するまで継続させる。そして、乾燥用設定時間が経過すると、洗浄槽Ｄの底部に貯留された除湿用水を排水する排水動作を行う。
【００７０】
そして、乾燥運転（＃１６）が開始されたのちは、乾燥用設定時間が経過した乾燥終了であるか否かが判断され（＃１７）、乾燥終了である場合には、消臭運転（＃２１）に移行することになる。
＃１７にて、乾燥終了でないと判断したときには、操作部ＳＳにて中断指令が指令されたか否かを判断し（＃１８）、中断指令が指令された場合には、加熱ヒータ９の加熱作動、循環ファン２３の通風作動、噴出ノズル２５の噴出作動を停止する等の乾燥運転を中断するための中断処理を行う（＃１９）。
その後、操作部ＳＳにて再開指令が指令されるまで（＃２０）、乾燥運転を中断し、乾燥運転を中断しているときに、再開指令が指令されると（＃２０）、乾燥運転を再開することになる。
このように乾燥運転を中断できるので、乾燥を行いたい洗浄対象物を追加した場合に、その洗浄対象物を洗浄空間Ｑに収納させることができる。
【００７１】
消臭運転は、電気式の加熱ヒータ９を停止させた状態で、循環ファン２３の通風作動及び噴出ノズル２５の除湿用水の噴出作動を行わせることになり、その状態を消臭用設定時間が経過するまで行う。そして、消臭用設定時間が経過すると、洗浄槽Ｄの底部に貯留された消臭用水を排水する排水動作を、上述した湯水排出水位となるまで行う。
【００７２】
図７のフローチャートには例示しないが、制御部Ｈは、給水弁４ａを通して洗浄槽Ｄに供給される単位時間当たりの湯水供給量よりも単位時間当たりの排水量を多くする状態で兼用ポンプ６を作動させるように構成されるものであり、そして、洗浄運転やすすぎ運転において給水弁４ａの開き状態にして湯水を洗浄槽Ｄに供給しているときに、水位センサＪにて異常水位が検出されたときには、給水弁４ａを閉じ状態にし、且つ、兼用ポンプ６を作動させる漏水防止運転処理を実行するように構成されている。
【００７３】
また、制御部Ｈは、漏水防止運転処理を実行しているときに、水位センサＪにて上述した洗浄水位より低い水位であることが検出されると、兼用ポンプ６を停止させて漏水防止運転処理を停止するように構成されている。
ちなみに、水位センサＪにて洗浄水位より低い水位であることが検出されるときとは、水位センサＪが洗浄水位を検出している状態から洗浄水位を検出しない状態に変化したときである。
【００７４】
図４及び図５に示すように、閉じた状態の洗浄空間Ｑの内部圧が機外圧となるように自動調整する圧力調整手段Ｗが設けられている。
すなわち、例えば、すすぎ処理における最後のすすぎ工程、つまり、電気式の加熱ヒータ９を作動させて高温のすすぎを行う途中において、洗浄対象物を追加収納する作業や、洗浄中の洗浄対象物の一部を取り出す作業等を行うために、一旦運転を停止し、洗浄空間Ｑを開いて所要の作業を行ったのち、再び、高温のすすぎを行う運転を開始すると、洗浄空間Ｑを開いたときに洗浄空間Ｑ内に侵入した多量の空気が、高温のすすぎにより加熱されて急激に膨張して、洗浄空間Ｑの内部圧が大きく増加しようとすることがあるが、このようなときには、圧力調整手段Ｗの作用によって、洗浄空間Ｑの内部圧が機外圧となるように自動調整されることになる。
【００７５】
また、洗浄処理において、電気式の加熱ヒータ９を加熱させたときには洗浄空間Ｑ内の温度はかなりの高温（例えば６７℃）になる。その後、洗浄水が排出されて、すすぎ処理のためにすすぎ水が洗浄空間Ｑに供給され、そのすすぎ水が兼用ポンプ６の作動により洗浄ノズル８より噴出されることになるが、そのすすぎ水の温度は低温（例えば１３〜１７℃）である。このため、低温のすすぎ水が洗浄ノズル８から噴出されると、洗浄空間Ｑ内の温度が急激に低下するものとなり、その結果、洗浄空間Ｑ内の多量の空気が急激に収縮し、洗浄空間Ｑの内部圧が大きく減少しようとすることがあるが、このようなときには、圧力調整手段Ｗの作用によって、洗浄空間Ｑの内部圧が機外圧となるように自動調整されることになる。
【００７６】
圧力調整手段Ｗは、洗浄槽Ｄの背壁ＤＲに形成した連通孔３２を通して、洗浄槽Ｄ内の洗浄空間Ｑと連通して、洗浄空間Ｑ内の圧力を調整するように構成されるものであるが、本実施形態においては、その詳細な構成についての説明は省略する。
尚、圧力調節手段Ｗには、結露水が生じることがあるが、その結露水が水位センサＪを介して、洗浄槽Ｄに回収されるように構成されている。
【００７７】
以下、水位センサＪについて説明する。
図８〜図１０に示すように、洗浄槽Ｄの底部に案内管１３にて接続されて、その洗浄槽Ｄ内の湯水が導入される水位検出用の湯水貯留槽４０と、湯水貯留槽４０の内部に装備されて、その湯水貯留槽４０に貯留される湯水の水位に応じて昇降する水位検出用のフロート４１と、フロート４１の本体部４１Ａから上方に延びる軸部４１Ｂを昇降自在に案内する案内部Ｕと、湯水貯留槽４０の上端よりも上方側箇所に位置されて、フロート４１の上下２つの昇降位置を検出する一対の第１水位検出部Ｔ１及び第２検出部Ｔ２とが設けられている。
【００７８】
湯水貯留槽４０は、横断面形状が４角形状の有底筒状に形成されるものであって、その底部には、上述した案内管１３が接続される連通口として連結用筒部４０Ｃが形成され、そして、その上部に外嵌される蓋体４２にて、上方開口が覆われるようになっている。
【００７９】
ちなみに、湯水貯留槽４０の上端側部分は、洗浄水受け入れ部４０Ａ、及び、圧力調整手段Ｗからの結露水を受け止める結露水受け部４０Ｂが、外方に突出する状態で設けられ、蓋体４２が、洗浄水受け入れ部４０Ａ及び結露水受け部４０Ｂを覆う状態に形成され、そして、蓋体４２における結露水受け部４０Ｂを覆う部分には、圧力調整手段Ｗとの連結用の開口部Ｖが形成されている。
尚、洗浄水受け入れ部４０Ａの機能については後述する。
【００８０】
フロート４１の上下２つの昇降位置は、上述した洗浄用水位を検出するための昇降位置（図１４参照）と、上述した湯水排出水位を検出するための昇降位置（図１３参照）とであり、第１水位検出部Ｔ１が、高位側の洗浄用水位を検出する昇降位置にフロート４１が位置することを検出し、第２水位検出部Ｔ２が、低位側の湯水排出水位を検出する昇降位置にフロート４１が位置することを検出するように構成されている。
【００８１】
第１水位検出部Ｔ１及び第２検出部Ｔ２が、フォトインタラプタ式の光センサを用いて構成され、第１水位検出部Ｔ１が、蓋体４２の上部に突設した第１センサ取付け部４２ａに装着され、第２水位検出部Ｔ２が、蓋体４２の上部に突設した第２センサ取付け部４２ｂに装着されている。
【００８２】
また、蓋体４２には、上述した異常水位を検出する異常水位検出用の電極４３が、上端側を蓋体４２の上方に位置させ、且つ、下端側を湯水貯留槽４０内に突出させる状態で設けられている。
つまり、異常水位検出用の電極４３は、図１５に示すように、湯水貯留槽４０の水位が第１水位検出部Ｔ１及び第２検出部Ｔ２のうちの高水位側の第２水位検出部Ｔ１にて検出される水位よりも設定量高くなったときに湯水貯留槽４０に貯留される湯水にて導通される導通される状態で、蓋体４２に装備されている。
【００８３】
図８及び図１３に示すように、フロート４１の軸部４１Ｂが、フロート４１が複数の昇降位置のうちの低水位側の昇降位置に位置する状態において、つまり、湯水排出水位を検出するための昇降位置に位置する状態において、その上端部を湯水貯留槽４０の上端よりも下方に位置させる長さに形成されている。
また、案内部Ｕが、湯水貯留槽４０の上端よりも下方に位置するフロート４０の軸部４１Ｂを案内すべく、湯水貯留槽４０の上端よりも下方に位置して案内するように構成されている。
【００８４】
そして、第１水位検出部Ｔ１及び第２水位検出部Ｔ２のうちの低水位側の第２水位検出部Ｔ２にて検出される被検出部４４ａを備えた揺動レバー４４が、フロート４１の軸部４１Ｂの上端部に連係されて上下に揺動する状態で設けられている。
説明を加えると、揺動レバー４４の長手方向の中間部が、第２センサ取付け部４２ｂに、横軸心Ｘ回りで上下揺動自在に枢支され、横軸心Ｘから延びる一対のレバー部分の一方側部分が、上述の被検出部４４ａに形成され、他方側部分が、軸部４１Ｂとの連係部４４ｂに形成されている。
連係部４４ｂは、二股状に形成されて、その連係部４４ｂに、軸部４１Ｂの上端が係合されるように構成されている。
【００８５】
つまり、軸部４１Ｂの上端部であって、上端よりも下方側箇所には、図１６に示すように、左右一対の旗状体４１ａが突設され、軸部４１Ｂの上端には、外れ止め用の突起部４１ｂが左右一対の旗状体４１ａと同方向に突出する状態に形成されている。
そして、揺動レバー４４の二股状の連係部４４ｂが、外れ止め用の突起部４１ｂと左右一対の旗状体４１ａの間に挿入され、且つ、軸部４１Ｂの上端が、二股状の連係部４４ｂを貫通する状態となるように構成されている。
【００８６】
図１４に示すように、フロート４１の軸部４１Ｂが、フロート４１が複数の昇降位置のうちの高水位側の昇降位置に位置する状態において、つまり、洗浄用水位を検出する状態において、その上端部を湯水貯留槽４０の上端よりも上方に位置させる長さに形成されている。
そして、上述した一対の旗状体４１ａのうちの１つが、第１検出部Ｔ１にて検出される被検出部として機能するように構成されている。
【００８７】
案内部Ｕが、フロート４１の昇降全範囲に亘って、軸部４１Ｂの上端部に設けた一対の旗状体４１ａのうちの１つを係合する案内溝Ｕ１として構成されている。つまり、一対の旗状体４１ａのうち１つが、案内溝Ｕ１に係合される被案内片として機能するように構成されている。
ちなみに、案内部Ｕは、一対の旗状体４１ａのうちの第１検出部Ｔ１にて検出される被検出部として機能する旗状体４１ａが係合する補助案内溝Ｕ２をも備えるように構成されているが、この補助案内溝Ｕ２は、第１検出部Ｔ１の近くまでは存在するものの、被検出部と機能する旗状体４１ａが第１検出部Ｔ１にて検出される箇所では存在しないものであるため、フロート４１の昇降全範囲に亘ってフロート４１を案内するものではない。
【００８８】
案内部Ｕについて説明を加えると、湯水貯留槽４０の上方開口を覆う蓋体４２が、フロート４１の軸部４１Ｂの挿通箇所ほど低位となる状態で水貯留槽の上端よりも下方に突出する下向き凹入部分４２Ａ、及び、案内溝形成用の上方突出部分４２Ｂを備える状態に形成され、案内溝Ｕ１が、蓋体４２における凹入部分４２Ａ及び蓋体の上方突出部分４２Ｂに亘る状態で形成されている。
【００８９】
また、蓋体４２には、補助案内溝Ｕ２を形成するための補助案内溝形成用の上方突出部分４２Ｃを備える状態に形成され、補助案内溝Ｕ２が、蓋体４２における凹入部分４２Ａ及び蓋体４２の上方突出部分４２Ｃに亘る状態で形成されている。
【００９０】
ちなみに、図１２に示すように、蓋体４２の凹入部分４２Ａにおける案内溝Ｕ１及び補助案内溝Ｕ２の形成部分であって、且つ、溝底面側に相当する部分が、他の部分とは分離されて、外方側に弾性変形自在に構成され、かつ、フロート４１の軸部４１Ｂの上端側に設けた一対の旗状体４１ａを係止する係止爪部Ｅを備えるように構成されている。
したがって、フロート４１の軸部４１Ｂを、一対の係止爪部Ｅの間に向けて下方側から押し込むようにすることにより、一対の旗状体４１ａが案内溝Ｕ１及び補助案内溝Ｕ２に係合する状態に組付けることができ、また、一対の旗状体４１ａを係止爪部Ｅにて係止することにより、フロート４１の軸部４１Ｂが案内溝Ｕ１及び補助案内溝Ｕ２から外れることが抑制されるように構成されている。
【００９１】
上述の洗浄水受け入れ部４０Ａについて説明を加えると、図５に示すように、排水運転を行うときに、排水管１２を通流する湯水の一部が、分岐管１２ａを通して、水位センサＪ側に分岐流動するように構成され、そして、分岐管１２が、洗浄水受け入れ部４０Ａに設けた管接続部４０ａ接続されている。
したがって、排水運転を行うときに、兼用ポンプ６にて排水される湯水の一部が洗浄水受け入れ部４０Ａに流動したのち、湯水貯留槽４０の内部に吐出されることにより、湯水貯留槽４０の壁面を洗浄できるように構成されている。
【００９２】
〔別実施形態〕
次に別実施形態を説明する。
（イ）上記実施形態では、複数の水位として、高水位側の洗浄用水位と低水位側の湯水排出水位との２つに水位を検出する場合を例示したが、高水位側の洗浄用水位として、高低２段階の洗浄水位を検出するようにする等、検出する水位の数は各種変更できる。
【００９４】
（ロ）上記実施形態では、複数の水位検出部をフォトインタラプタ式の光センサとするように構成したが、このような構成に限定されるものではなく、例えば、反射型の光センサや、透過型又は反射型の超音波センサ等、被検出部による検出状態と検出されない状態とを切り換えるために操作力を必要としない各種の検出方式を適用することができる。
【００９５】
（ハ）上記実施形態では、案内部Ｕを、フロート４１の昇降全範囲に亘って軸部４１Ｂの上端部に設けた被案内片としての旗状体４１ａを係合する案内溝Ｕ１として構成したが、案内部Ｕとしては、フロート４１に軸部４１Ｂが貫通する案内筒に構成する等、案内部Ｕの構成は各種変更できる。
【００９６】
（ニ）上記実施形態では、複数の水位検出部としての第１水位検出部Ｔ１及び第２水位検出部Ｔ２、並びに、揺動レバー４４、並びに、異常水位検出用の一対の電極４３を、蓋体４２に装備するように構成したが、これらのうちいずれか又は全てを、湯水貯留槽４０に装備するように構成してもよい。
【００９７】
（ホ）上記実施形態では、運転制御手段としての制御部Ｈが、漏水防止運転処理を実行しているときに、複数の水位検出部のうちの高水位側の水位検出部にて高水側の水位よりも低い水位であることが検出されると、兼用ポンプ６を停止させて漏水防止運転処理を停止するように構成したが、複数の水位検出部のうちの低水位側の水位検出部にて低水側の水位であることが検出されたときに兼用ポンプ６を停止させる構成としてもよい。
【符号の説明】
【００９８】
４０    湯水貯留槽
４０Ａ  洗浄水受け入れ部
４０ａ  管接続部
４１    フロート
４１Ａ  本体部
４１Ｂ  軸部
４１ａ  旗状体
４１ｂ  突起部
４２    蓋体
４２Ａ  凹入部分
４２Ｂ  上方突出部分
４２ｂ  第２センサ取付け部
４３    電極
４４    揺動レバー
４４ａ  被検出部
４４ｂ  連係部
Ｔ２    第２水位検出部
Ｕ      案内部
Ｕ１    案内溝
Ｖ      開口部
Ｘ      横軸心
【図１】
0005608004.tif 000002
【図２】
0005608004.tif 000003
【図３】
0005608004.tif 000004
【図４】
0005608004.tif 000005
【図５】
0005608004.tif 000006
【図６】
0005608004.tif 000007
【図７】
0005608004.tif 000008
【図８】
0005608004.tif 000009
【図９】
0005608004.tif 000010
【図１０】
0005608004.tif 000011
【図１１】
0005608004.tif 000012
【図１２】
0005608004.tif 000013
【図１３】
0005608004.tif 000014
【図１４】
0005608004.tif 000015
【図１５】
0005608004.tif 000016
【図１６】
0005608004.tif 000017